(57)【特許請求の範囲】
【請求項１】
互いに左右方向に間隔を隔てて配置された左縦枠及び右縦枠と、これらの縦枠の上端部間及び下端部間の少なくとも一方を連結する横枠とを有するドア枠と、
前記左縦枠及び前記右縦枠の一方に、ヒンジを介して開閉自在に取り付けられたドアパネルと、
前記左縦枠、右縦枠及び横枠に、これらに沿ってかつ全体にわたって延びるようにそれぞれ設けられ、前記ドアパネルが閉鎖されたときに、当該ドアパネルの一方の面の左右両側並びに上側及び下側の少なくとも一方の縁部が当接する少なくとも３つの戸当りと、
当該少なくとも３つの戸当りに、これらに沿ってかつ全体にわたって延びるようにそれぞれ取り付けられ、マグネットが内蔵された少なくとも３つのマグネットパッキンと、
を備え、
前記ドアパネルの前記一方の面には、その全体にわたり、磁性を有する磁性シートが設けられているとともに、当該磁性シートの表面の全体に化粧シートが貼着されていることを特徴とする防音ドア。
【請求項２】
前記磁性シートは、所定種類の合成樹脂から成るシート本体に鉄粉が添加されることによって構成されていることを特徴とする請求項１に記載の防音ドア。
【請求項３】
前記マグネットパッキンは、所定種類の合成樹脂から成り、筒状の収容部を有するパッキン本体を備え、前記収容部に前記マグネットが収容されていることを特徴とする請求項１又は２に記載の防音ドア。
【発明の詳細な説明】
【技術分野】
【０００１】
本発明は、楽器練習用の防音室や演奏ホールなどの出入り口に開閉自在に設けられた防音ドアに関する。
【背景技術】
【０００２】
従来、この種の防音ドアとして、例えば特許文献１に記載されたものが知られている。この防音ドアは、利用者の出入り口である開口部の周縁部に枠状に設けられたドア枠と、このドア枠の左右の一方の側部に、ヒンジを介して回動自在に取り付けられたドアパネルと、ドア枠の左右の他方の側部に、内方に突出するように取り付けられたマグネット戸当りと、ドアパネルの先端部（ヒンジと反対側の端部）に取り付けられた鉄板とを備えている。
【０００３】
マグネット戸当りは、マグネットゴムで構成され、ドア枠の側部の全体にわたって上下方向に延びるように取り付けられている。また、鉄板は、ドアパネルが閉鎖されたときにマグネット戸当りに当接する面（以下、本欄において「戸当り面」という）において、その先端側の縁部に、上下方向に延びかつ戸当り面と面一の状態に埋設され、ドアパネルにねじ止めされている。
【０００４】
このように構成された防音ドアでは、ドアパネルが閉鎖されると、その先端側の鉄板がマグネット戸当りに吸引され、ドアパネルの戸当り面がマグネット戸当りに密着する。その結果、ドアパネルの閉鎖時には、ドア枠に対し、ドアパネルの先端側、すなわち左右両端の一方が密閉され、これにより、ドアパネルの上記一方からの音漏れを低減している。
【先行技術文献】
【特許文献】
【０００５】
【特許文献１】特開平８−１８４２４３号公報
【発明の概要】
【発明が解決しようとする課題】
【０００６】
上記の防音ドアでは、ドア枠に対し、ドアパネルの先端側を密閉しているものの、ドアパネルのヒンジ側、上端側及び下端側の三方が密閉されておらず、それらの三方からの音漏れにより、十分な防音効果を得ることができないおそれがある。また、ドアパネルに取り付けられた鉄板は、外部に露出した状態で、ドアパネルの戸当り面に取り付けられているため、ドアパネルの見栄えが悪く、防音ドアとしての外観を損なっているという問題もある。
【０００７】
本発明は、以上のような課題を解決するためになされたものであり、従来よりも防音効果を高めることができるとともに、見栄えが良く、良好な外観を得ることができる防音ドアを提供することを目的とする。
【課題を解決するための手段】
【０００８】
上記の目的を達成するために、請求項１に係る発明は、互いに左右方向に間隔を隔てて配置された左縦枠及び右縦枠と、これらの縦枠の上端部間及び下端部間の少なくとも一方を連結する横枠とを有するドア枠と、左縦枠及び右縦枠の一方に、ヒンジを介して開閉自在に取り付けられたドアパネルと、左縦枠、右縦枠及び横枠に、これらに沿ってかつ全体にわたって延びるようにそれぞれ設けられ、ドアパネルが閉鎖されたときに、ドアパネルの一方の面の左右両側並びに上側及び下側の少なくとも一方の縁部が当接する少なくとも３つの戸当りと、少なくとも３つの戸当りに、これらに沿ってかつ全体にわたって延びるようにそれぞれ取り付けられ、マグネットが内蔵された少なくとも３つのマグネットパッキンと、を備え、ドアパネルの一方の面には、その全体にわたり、磁性を有する磁性シートが設けられているとともに、磁性シートの表面の全体に化粧シートが貼着されていることを特徴とする。
【０００９】
この構成によれば、ドア枠の左縦枠及び右縦枠の一方に、ヒンジを介して、ドアパネルが開閉自在に取り付けられている。また、ドア枠の左縦枠、右縦枠、及び上下の少なくとも一方の横枠には、これらに沿ってかつ全体にわたって延びるように、少なくとも３つの戸当りがそれぞれ設けられ、これらの少なくとも３つの戸当りには、これらに沿ってかつ全体にわたって延びるように、少なくとも３つのマグネットパッキンがそれぞれ取り付けられている。一方、ドアパネルには、閉鎖されたときに戸当りに当接する一方の面（以下、本欄において「戸当り面」という）に、その全体にわたり、磁性を有する磁性シートが設けられている。ドアパネルが閉鎖されると、磁性シートが少なくとも３つのマグネットパッキンのマグネットに吸引され、ドアパネルの戸当り面が全てのマグネットパッキンに密着する。その結果、ドアパネルの閉鎖時には、ドア枠に対し、ドアパネルの左右両端側並びに上端側及び／又は下端側の少なくとも三方が密閉される。これにより、ドアパネルの上記の少なくとも三方からの音漏れを防止し、従来に比べて、防音効果を大幅に高めることができる。
【００１０】
また、ドアパネルの戸当り面に設けられた磁性シートには、その表面全体に化粧シートが貼着されている。これにより、ドアパネルの戸当り面に鉄板が露出する従来の防音ドアと異なり、鉄板などが見えることがなく、ドアパネルの見栄えを良くすることができるとともに、すっきりとした良好な外観を得ることができる。
【００１１】
請求項２に係る発明は、請求項１に記載の防音ドアにおいて、磁性シートは、所定種類の合成樹脂から成るシート本体に鉄粉が添加されることによって構成されていることを特徴とする。
【００１２】
この構成によれば、磁性シートとして、所定種類の合成樹脂から成るシート本体に鉄粉が添加されることによって構成されたシートを採用することにより、容易な取扱い性を確保しながら、ドアパネルの戸当り面の形状やサイズなどに応じ、その戸当り面側に貼り付けることによって、磁性シートをドアパネルに容易に取り付けることができる。
【００１６】
請求項３に係る発明は、請求項１又は２に記載の防音ドアにおいて、マグネットパッキンは、所定種類の合成樹脂から成り、筒状の収容部を有するパッキン本体を備え、収容部にマグネットが収容されていることを特徴とする。
【００１７】
この構成によれば、マグネットパッキンのパッキン本体が、所定種類の合成樹脂から成るとともに、筒状の収容部を有しており、その収容部にマグネットが収容されている。このように構成されたマグネットパッキンでは、ドアパネルが閉鎖される場合、そのドアパネルに、合成樹脂製のパッキン本体が当たり、硬質のマグネットが直接当たることはない。したがって、ドアパネルの開閉が繰り返され、ドアパネルがマグネットパッキンに繰り返し当たっても、化粧シートがほとんど損傷することがなく、ドアパネルの良好な外観を長期間にわたって保つことができる。
【図面の簡単な説明】
【００１８】
【図１】本発明の第１実施形態による防音ドアを示す図であり、（ａ）はドアパネルが閉鎖された状態、（ｂ）はドアパネルが開放された状態を示す。
【図２】図１（ａ）の防音ドアをＡ−Ａ線に沿って切断した状態を示す断面図である。
【図３】本発明の第２実施形態による防音ドアを示し、図２と同様の断面図である。
【発明を実施するための形態】
【００１９】
以下、図面を参照しながら、本発明の好ましい実施形態を詳細に説明する。図１は、本発明の第１実施形態による防音ドアを示している。この防音ドア１は、楽器練習用の防音室の出入り口に設けられ、開き戸タイプのものである。
【００２０】
図１に示すように、防音ドア１は、出入り口の周縁部に枠状に設けられたドア枠２と、このドア枠２の右側の縦枠に、複数（本実施形態では３つ）のヒンジ３を介して回動自在に取り付けられ、ドア枠２の内側を開閉するドアパネル４とを備えている。
【００２１】
ドア枠２は、左右方向に所定距離を隔てて配置され、上下方向に所定長さ延びる左右の縦枠（以下、適宜「左縦枠２ａ」、「右縦枠２ｂ」という）と、これらの上端部同士の間及び下端部同士の間をそれぞれ連結する上下の横枠（以下、適宜「上横枠２ｃ」、「下横枠２ｄ」という）とを有しており、これらの縦枠２ａ、２ｂ及び横枠２ｃ、２ｄにより、ドア枠２が縦長矩形の枠状に形成されている。また、ドア枠２のうち、左縦枠２ａ、右縦枠２ｂ及び上横枠２ｃには、ドアパネル４を閉鎖したときに、そのドアパネル４が開放する際の開放側と反対側の面（以下「戸当り面４Ａ」という）が当接する戸当り５が設けられている。
【００２２】
より具体的には、図１（ｂ）及び図２に示すように、左縦枠２ａ及び右縦枠２ｂの内側の所定位置にはそれぞれ、対応する縦枠２ａ、２ｂに組み付けられた状態で、それらの長さ方向（図１の上下方向、図２の表裏方向）に沿ってかつ全体にわたって延びる戸当り（以下、適宜「左戸当り５ａ」、「右戸当り５ｂ」という）が設けられている。なお、詳細な図示は省略するが、上横枠２ｃにも、左右の戸当り５ａ、５ｂと同様に構成された戸当り５ｃ（以下、適宜「上戸当り５ｃ」という）が、上横枠２ｃの長さ方向に沿ってかつ全体にわたって延びるように設けられている。
【００２３】
また、左戸当り５ａ、右戸当り５ｂ及び上戸当り５ｃにはそれぞれ、ドアパネル４側に３つのマグネットパッキン６が取り付けられている。各マグネットパッキン６は、パッキン本体７と、このパッキン本体７の内部に収容されたマグネット８とで構成されている。
【００２４】
パッキン本体７は、所定種類の合成樹脂（例えばゴムや軟質塩化ビニル）から成り、戸当り５の長さ方向に沿ってかつ全体にわたって延び、薄肉中空状の所定の横断面を有している。具体的には、図２に示すように、パッキン本体７は、ほぼコ字状に形成され、戸当り５に取り付けられた取付部７ａと、この取付部７ａの前側に連なり、横長の楕円状に形成されるとともに前後方向に可撓性を有する可撓部７ｂと、この可撓部７ｂの前側に連なり、横長矩形のリング状に形成されるとともに内側にマグネット８を収容するマグネット収容部７ｃとで構成されている。
【００２５】
一方、マグネット８は、自身が内蔵されるパッキン本体７とほぼ同じ長さを有する棒状に形成され、マグネット収容部７ｃの内側とほぼ同じ横長矩形状の横断面を有している。したがって、マグネット８は、パッキン本体７の長さ方向に沿ってかつ全体にわたって延び、マグネット収容部７ｃに収容されることで、周面全体が合成樹脂で覆われている。
【００２６】
ヒンジ３は、２つのヒンジプレート３ａ、３ａと、これらを回動自在に連結する連結軸３ｂとを有している。そして、２つのヒンジプレート３ａ、３ａの一方が、右縦枠２ｂの所定位置にねじ止めされるとともに、他方が、ドアパネル４の右端面の所定位置にねじ止めされている。
【００２７】
ドアパネル４は、パネル本体１１と、その表裏面にそれぞれ取り付けられ、ＭＤＦなどから成る表面板１２、１２と、戸当り面４Ａ側の表面板１２に、その全体にわたって貼着された磁性シート１３と、この磁性シート１３の表面全体に取り付けられた化粧シート１４とで構成されている。
【００２８】
パネル本体１１は、所定の縦横寸法及び厚さを有する厚板状に形成されている。なお、このパネル本体１１として、種々の構成のものを採用することが可能である。例えば、上下左右を角材で枠状に形成し、その表裏面に板材を取り付けたものや、単一の材料（例えば発泡ウレタン）で構成したものなどを採用することができる。
【００２９】
磁性シート１３は、所定種類の合成樹脂（例えば塩素化ポリエチレン）から成り、所定の厚み（例えば０．５ｍｍ）を有するシート本体に、所定の含有率で鉄粉が添加されることによって、磁性を有するように構成されている。
【００３０】
一方、化粧シート１４は、所定種類の合成樹脂（例えばオレフィン）から成り、所定の厚み（例えば０．５ｍｍ）を有するシートで構成されている。
【００３１】
以上のように構成された防音ドア１では、ドアパネル４が戸当り５側に回動し、閉鎖されると、戸当り面４Ａ側の磁性シート１３が、左右両側及び上側の３つのマグネットパッキン６のマグネット８にそれぞれ吸引される。これにより、ドアパネル４は、その戸当り面４Ａが、全てのマグネットパッキン６に密着する。その結果、図１（ａ）に示すように、ドアパネル４の閉鎖時には、ドア枠２に対し、ドアパネル４の左右両端側及び上端側の三方が密閉される。これにより、ドアパネル４の上記三方からの音漏れを防止し、従来に比べて、防音効果を大幅に高めることができる。
【００３２】
また、ドアパネル４の戸当り面４Ａ側には、磁性シート１３の表面全体に化粧シート１４が貼着されている。これにより、ドアパネルの戸当り面に鉄板が露出する従来の防音ドアと異なり、鉄板などが見えることがなく、ドアパネル４の見栄えを良くすることができるとともに、すっきりとした良好な外観を得ることができる。
【００３３】
さらに、ドアパネル４が閉鎖される場合、そのドアパネル４に、合成樹脂製のパッキン本体７が当たり、硬質のマグネット８が直接当たることはない。したがって、ドアパネル４の開閉が繰り返され、ドアパネル４がマグネットパッキン６に繰り返し当たっても、化粧シート１４がほとんど損傷することがなく、ドアパネル４の良好な外観を長期間にわたって保つことができる。加えて、ドアパネル４では、戸当り面４Ａの任意の箇所にマグネットを吸着させることができるので、譜面やメモ書きした紙、チラシなどを、マグネットを利用して、戸当り面４Ａ上の任意の箇所に容易に留めておくことができる。
【００３４】
図３は、本発明の第２実施形態を示している。本実施形態の防音ドア１では、ドアパネル４以外の構成は前述した第１実施形態と同じであるので、以下の説明では、第１実施形態と同じ構成部品については同じ符号を付し、本実施形態のドアパネル４の構成を中心に説明するものとする。
【００３５】
図３に示すように、第２実施形態の防音ドア１におけるドアパネル４では、第１実施形態と同様のパネル本体１１の表裏面に、ＭＤＦなどから成る表面板１２、１２が取り付けられている。そして、戸当り面４Ａ側の表面板１２には、左右両側及び上側の縁部に、細長い薄板状（例えば、厚さ０．７ｍｍ）の３つの鋼板１５（磁性プレート）（図３では左右２つの鋼板のみ図示）がそれぞれ埋設されている。
【００３６】
具体的には、戸当り面４Ａ側の表面板１２の左右両側の縁部には、鋼板１５の幅寸法及び厚さとほぼ同じ所定の幅及び深さをそれぞれ有し、ドアパネル４の上下方向の全体にわたって延びる収容凹部１２ａ、１２ａが形成されている。そして、各収容凹部１２ａに、その全体にわたって延びるように、鋼板１５が表面板１２と面一の状態で収容されている。また、図示しないが、戸当り面４Ａ側の表面板１２の上側の縁部には、上記の収容凹部１２ａと同じ幅及び深さを有し、ドアパネル４の左右方向の全体にわたって延びる収容凹部１２ａが形成され、その収容凹部１２ａに、その全体にわたって延びるように、鋼板１５が表面板１２と面一の状態で収容されている。なお、各鋼板１５は、両面テープなどによって貼り付けられた状態で、収容凹部１２ａに収容されている。
【００３７】
そして、ドアパネル４の戸当り面４Ａ側には、上記の３つの鋼板１５を覆った状態で、表面板１２の表面全体に、第１実施形態と同じ化粧シート１４が貼着されている。
【００３８】
以上のように構成されたドアパネル４が閉鎖されると、左右両側及び上側の３つの鋼板１５が３つのマグネットパッキン６のマグネット８にそれぞれ吸引され、ドアパネル４の戸当り面４Ａが全てのマグネットパッキン６に密着する。したがって、第１実施形態と同様、ドアパネル４の閉鎖時には、ドア枠２に対し、ドアパネル４の左右両端側及び上端側の三方が密閉され、これにより、ドアパネル４の上記三方からの音漏れを防止し、従来に比べて、防音効果を大幅に高めることができる。
【００３９】
また、ドアパネル４には、全ての鋼板１５を覆った状態で、戸当り面４Ａの全体にわたり、化粧シート１４が設けられている。これにより、戸当り面４Ａ側の全ての鋼板１５が、いずれも見えることがなく、第１実施形態と同様、ドアパネル４の見栄えを良くすることができるとともに、すっきりとした良好な外観を得ることができ、加えて、ドアパネル４の良好な外観を長期間にわたって保つことができる。
【００４０】
以上の第１及び第２実施形態においては、ドア枠２のうち、下横枠２ｄを省略してもよい。この場合には、防音室の出入り口の段差をなくすことができる。それにより、防音室の利用者が出入りの際につまづいたりすることがなく、また車椅子での出入りも容易に行うことが可能になる。
【００４１】
なお、本発明は、説明した上記の各実施形態に限定されることなく、種々の態様で実施することができる。例えば、実施形態では、戸当り５及びマグネットパッキン６を、ドア枠２のうち、左縦枠２ａ、右縦枠２ｂ及び上横枠２ｃにそれぞれ設けたが、上横枠２ｃに代えて、下横枠２ｄに設けることも可能である。
【００４２】
さらには、戸当り５及びマグネットパッキン６を、上横枠２ｃ及び下横枠２ｄの両方に設けることも可能である。この場合、ドアパネル４の閉鎖時には、ドア枠２に対し、ドアパネル４の左右両端側及び上下両端側の四方が密閉可能になり、防音効果をより一層高めることができる。
【００４３】
また、実施形態では、本発明の防音ドアを楽器練習用の防音室の出入り口に適用したものについて説明したが、本発明はこれに限定されるものではなく、例えば演奏ホールの出入り口など、防音効果が要求される種々の箇所に適用することが可能である。
【００４４】
また、実施形態で示したドア枠２、ドアパネル４、戸当り５、マグネットパッキン６、マグネット８、パネル本体１１、表面板１２、磁性シート１３、化粧シート１４及び鋼板１５の細部の構成などは、あくまで例示であり、本発明の趣旨の範囲内で適宜、変更することができる。
【符号の説明】
【００４５】
１    防音ドア
２    ドア枠
２ａ  左縦枠
２ｂ  右縦枠
２ｃ  上横枠
２ｄ  下横枠
３    ヒンジ
４    ドアパネル
４Ａ  戸当り面
５    戸当り
５ａ  左戸当り
５ｂ  右戸当り
５ｃ  上戸当り
６    マグネットパッキン
７    パッキン本体
７ａ  取付部
７ｂ  可撓部
７ｃ  マグネット収容部
８    マグネット
１１    パネル本体
１２    表面板
１３    磁性シート
１４    化粧シート
１５    鋼板（磁性プレート）
【図１】
0006726013.tif 000002
【図２】
0006726013.tif 000003
【図３】
0006726013.tif 000004